(57)【特許請求の範囲】
【請求項１】
回転式エアー看板において、
柔軟性の素材で形成され、内部に注入された空気の圧力によって一定の形状に膨脹または収縮し、一定の速度で回転するエアーチューブ；
前記エアーチューブを支持または収納するためのベース；
前記ベースの内部に備えられ、前記エアーチューブに空気を注入するための送風機；
前記エアーチューブが膨脹した状態で前記エアーチューブの膨脹した長さに相応して前記エアーチューブの内部上面にぶら下がり、電源ケーブルによって互いに一列で連結され、前記エアーチューブの内部に光を照射させるための複数のＬＥＤモジュール；
前記エアーチューブの内部上面に備えられ、前記ＬＥＤモジュールを固定し、前記エアーチューブの回転の際、前記ＬＥＤモジュールの電源ケーブルがねじれることを防止するためのＬＥＤモジュール固定部；及び
前記ベースの内部に備えられ、前記送風機及び前記ＬＥＤモジュールに電源を供給するための電源供給装置；を含むことを特徴とする、ＬＥＤモジュールを備えた回転式エアー看板。
【請求項２】
前記ＬＥＤモジュール固定部は、
ボールベアリング；
前記ボールベアリングの外輪に対向するように結合され、水平方向に一定の長さだけ伸びた一対のボールベアリング支持体；
前記ボールベアリングの内輪に固定され、前記ＬＥＤモジュールを装着するためのフック；及び
前記支持体及び前記ボールベアリングの上面に備えられる保護カバー；を含むことを特徴とする、請求項１に記載のＬＥＤモジュールを備えた回転式エアー看板。
【請求項３】
前記エアーチューブの内部上面には、前記支持体の伸びた部分が挿入されるポケットが形成されることを特徴とする、請求項２に記載のＬＥＤモジュールを備えた回転式エアー看板。
【請求項４】
前記ＬＥＤモジュールはそれぞれ２個〜４個のモジュールが結合してなることを特徴とする、請求項１または２に記載のＬＥＤモジュールを備えた回転式エアー看板。
【請求項５】
前記電源供給装置はＳＭＰＳ（Ｓｗｉｔｃｈｉｎｇ  Ｍｏｄｅ  Ｐｏｗｅｒ  Ｓｕｐｐｌｙ）であることを特徴とする、請求項１または２に記載のＬＥＤモジュールを備えた回転式エアー看板。
【発明の詳細な説明】
【技術分野】
【０００１】
本発明はＬＥＤモジュールを備えた回転式エアー看板に係り、より詳しくはエアー看板の内部に備えられたＬＥＤモジュールによってエアー看板の内部の全方向に光を照射させ、特にエアー看板の回転の際、ＬＥＤモジュールの電源ケーブルがねじれることを防止するためのＬＥＤモジュール固定部を備えることで、エアー看板の安定的な回転が可能であって、広告宣伝の効果に優れ、従来のメタルランプ、ハロゲンランプなどでなったエアー看板に比べて低い消費電力、延ばされた看板寿命を有し、さらに環境に優しいエアー看板に関する。
【背景技術】
【０００２】
一般に、従来の広告用エアー看板には送風機による空気注入式の照明広告装置がたくさん使われている。
【０００３】
エアー看板は、エアーチューブの内部に送風機の作用で空気を注入し、内部に照明手段を設置して、固定されたエアーチューブの内部に照明を照射する方式が使われていた。
【０００４】
従来のエアー看板は照明手段としてメタルランプを使った。
【０００５】
しかし、メタルランプは、消灯後に再び点灯するまで約１０〜１５分の時間がかかって連続的な点滅が容易でないため、一般的に単色の照明のみをエアーチューブの内部に照射するように設定された。
【０００６】
したがって、多数のエアー看板が設置された場合、単色の照明だけが照射されるので視覚的な刺激がほとんどないため、夜間に差別化された広告効果を実現しにくい欠点があった。
【０００７】
特許文献１には‘多色ハロゲンランプを用いた色相可変エアー看板’が開示されている。
【０００８】
前記多色ハロゲンランプを用いた色相可変エアー看板は、エアーチューブの下部を支持するように設置されたベースの内部に安定器が内在されたハロゲンランプ専用投光器とハロゲンランプを使う照明部及びハロゲンランプの照明を制御することができる点滅器、送風及びスイッチが設置された広告用色相可変エアー看板であり、照明部の点灯と消灯の反復的な遂行過程を遅延時間なしに連続的に点滅可能となるように構成された。
【０００９】
しかし、前記多色ハロゲンランプを用いた色相可変エアー看板は、照明手段としてハロゲンランプを使うため、電力消耗が多くて非経済的であり、ハロゲンランプが支持部に設置されてエアーチューブの内部に光を照射するため、エアーチューブは長手方向に沿って多様な色相変化を与えることができなく、膨脹した前記エアーチューブの上部に行くほど光照射量が減少してエアー看板が暗くなって広告効果が低い欠点があった。
【００１０】
また、前記ハロゲンランプは高価であるため、エアー看板の維持保守に高費用がかかる問題点があった。
【先行技術文献】
【特許文献】
【００１１】
【特許文献１】大韓民国実用新案公開第２０−２００９−０００４１００号明細書
【発明の概要】
【発明が解決しようとする課題】
【００１２】
本発明は前述した問題点を解決するためになされたもので、まず、エアー看板に内部発光手段としてＬＥＤモジュールを用いることで、速い反応速度、消費電力の節減、寿命延長及び多様な色相の具現が可能なＬＥＤモジュールを備えた回転式エアー看板の提供を一目的とする。
【００１３】
また、本発明は、前記ＬＥＤモジュールを用いることで、エアー看板の製作コスト及び維持保守コストの面で経済的なＬＥＤモジュールを備えた回転式エアー看板の提供を他の目的とする。
【００１４】
また、エアー看板の回転の際、前記ＬＥＤモジュールの電源ケーブルがねじれることを事前に防止するために、ＬＥＤモジュール固定部を備えて、エアー看板の回転によるＬＥＤモジュールの破損を防止し、安定的な回転が可能なＬＥＤモジュールを備えた回転式エアー看板の提供をさらに他の目的とする。
【００１５】
また、前記ＬＥＤモジュールを膨脹したエアーチューブの長手方向の全長にわたってぶら下がるように備え、全方向に光を照射させるために前記ＬＥＤモジュールを２個〜４個結合することで、視覚による広告宣伝の機能に優れたＬＥＤモジュールを備えた回転式エアー看板の提供をさらに他の目的とする。
【００１６】
本発明の目的は以上に開示した目的に制限されなく、前述しなかったさらに他の目的は下記の記載から当業者に明確に理解可能であろう。
【課題を解決するための手段】
【００１７】
本発明は前述した問題点を解決するためになされたもので、柔軟性の素材で形成され、内部に注入された空気の圧力によって一定の形状に膨脹または収縮し、一定の速度で回転するエアーチューブ；前記エアーチューブを支持または収納するためのベース；前記ベースの内部に備えられ、前記エアーチューブに空気を注入するための送風機；前記エアーチューブが膨脹した状態で前記エアーチューブの膨脹した長さに相応して前記エアーチューブの内部上面にぶら下がり、電源ケーブルによって互いに一列で連結され、前記エアーチューブの内部に光を照射させるための複数のＬＥＤモジュール；前記エアーチューブの内部上面に備えられ、前記ＬＥＤモジュールを固定し、前記エアーチューブの回転の際、前記ＬＥＤモジュールの電源ケーブルがねじれることを防止するためのＬＥＤモジュール固定部；及び前記ベースの内部に備えられ、前記送風機及び前記ＬＥＤモジュールに電源を供給するための電源供給装置；を含む。
【００１８】
前記ＬＥＤモジュール固定部は、ボールベアリング；前記ボールベアリングの外輪に対向するように結合され、水平方向に一定の長さだけ伸びた一対のボールベアリング支持体；前記ボールベアリングの内輪に固定され、前記ＬＥＤモジュールを装着するためのフック；及び前記支持体及び前記ボールベアリングの上面に備えられる保護カバー；を含むことができる。
【００１９】
前記エアーチューブの内部上面には、前記支持体の伸びた部分が挿入されるポケットが形成されることができる。
【００２０】
前記ＬＥＤモジュールはそれぞれ２個〜４個のモジュールが結合してなることができる。
【００２１】
前記電源供給装置はＳＭＰＳ（Ｓｗｉｔｃｈｉｎｇ  Ｍｏｄｅ  Ｐｏｗｅｒ  Ｓｕｐｐｌｙ）であってもよい。
【発明の効果】
【００２２】
本発明は次のような優れた効果がある。
【００２３】
まず、エアー看板に内部発光手段としてＬＥＤモジュールを用いることで、速い反応速度、消費電力の節減、寿命延長及び多様な色相の具現が可能である。
【００２４】
また、前記ＬＥＤモジュールを用いることで、エアー看板の製作コスト及び維持保守コストの面で経済的である。
【００２５】
また、エアー看板の回転の際、前記ＬＥＤモジュールの電源ケーブルがねじれることを事前に防止するためにＬＥＤモジュール固定部を備えて、エアー看板の回転によるＬＥＤモジュールの破損を防止して安定的な回転が可能である。
【００２６】
同時に、前記ＬＥＤモジュールを膨脹したエアーチューブの長手方向の全長にわたってぶら下がるように備え、全方向に光を照射させるために前記ＬＥＤモジュールを２個〜４個で結合することで、視覚による広告宣伝の機能に優れた効果がある。
【図面の簡単な説明】
【００２７】
【図１】本発明の一実施例によるＬＥＤモジュールを備えた回転式エアー看板の全体構成図である。
【図２】図１に示すＬＥＤモジュール固定部の拡大断面図である。
【発明を実施するための形態】
【００２８】
本発明で使われる用語は可能な現在広く使われる一般的な用語を選択したが、特定の場合は出願人が任意に選定した用語もある。この場合には単純な用語の名称ではなく、発明を実施するための具体的な内容に記載されるか使用された意味を考慮してその意味が把握されなければならない。
【００２９】
以下、添付した図面に示す好適な実施例に基づいて本発明の技術的構成を詳細に説明する。
【００３０】
まず、本発明の一実施例によるＬＥＤモジュールを備えた回転式エアー看板１００の全体構成図である図１を参照すれば、本発明の一実施例によるＬＥＤモジュールを備えた回転式エアー看板１００は、エアーチューブ１１０、ベース１２０、送風機１３０、ＬＥＤモジュール１４０、ＬＥＤモジュール固定部１５０、及び電源供給装置１６０を含む。
【００３１】
前記エアーチューブ１１０は後述する送風機１３０のオン／オフによって注入される空気の圧力によって一定の形状に膨脹及び収縮することができるように柔軟性及び伸縮性を持つ素材で形成され、同一目的を達成することが可能な多様な材質の利用が可能である。
【００３２】
また、前記送風機１３０のオン状態の際、注入される空気が前記エアーチューブ１１０の上部に漏出することができないように前記エアーチューブ１１０の上部は密閉しており、下部は前記送風機１３０によって空気が注入されることができるように開放しており、前記エアーチューブ１１０の下部は前記ベース１２０の上部に密着し、前記ベース１２０の一定部分に備えられる回転手段（図示せず）によって前記エアーチューブ１１０は一定の速度で前記ベース１２０の上部で回転する。
【００３３】
そして、前記エアーチューブ１１０は前記送風機１３０によって注入される空気によって三角柱、四角柱、円柱、一定のキャラクターなどを含む多様な形状に膨脹可能である。
【００３４】
一方、前記膨張したエアーチューブ１１０は、前述したように、ベース１２０の上部に密着して支持され、前記ベース１２０は前記送風機１３０のオフの際に収縮する前記エアーチューブ１１０を収納することができる内部空間（図示せず）をさらに備えることができる。
【００３５】
一方、前記ベース１２０の内部には前記エアーチューブ１１０に空気を注入するための送風機１３０が備えられる。
【００３６】
前記送風機１３０は、前述したように、前記エアーチューブ１１０の内部に空気を注入するための手段に印加された電源によってファン（ｆａｎ）を回転させて空気を発生させ、発生した空気を前記エアーチューブ１１０の内部に注入することで前記エアーチューブ１１０を一定の形状に膨脹させる。
【００３７】
但し、前述したように、前記送風機１３０は必ずしもファン方式の送風機に限定されるものではなく、多様な方式の送風機を用いることができるのはいうまでもない。
【００３８】
また、前記送風機１３０に印加された電源が遮断、つまりオフとなった場合、前記エアーチューブ１１０の内部にそれ以上空気が注入されないので、柔軟性及び伸縮性を持つ前記エアーチューブ１１０は収縮して前記ベース１２０の内部空間に収納される。
【００３９】
一方、前記ＬＥＤモジュール１４０は前記エアーチューブ１１０が膨脹した状態で前記エアーチューブ１１０の膨脹した長さに対応してぶら下がるように備えられることができるように複数でなり、前記エアーチューブ１１０の内部に光を照射させる役目をする。
【００４０】
より具体的に、図１に示すように、前記ＬＥＤモジュール１４０は１個のＬＥＤモジュールの両側に引き出された電源ケーブル１４１によって互いに一列で連結され、前記エアーチューブ１１０の内部上面から後述する電源供給装置１６０までの距離に相応してぶら下がるように複数が備えられる。
【００４１】
これにより、本発明の一実施例によるＬＥＤモジュールを備えた回転式エアー看板１００は、昼間だけではなく夜間にも一般人または需要者の視線を集中させることができるので、看板本然の目的を達成することができる。
【００４２】
一方、前記ＬＥＤモジュール１４０は、一端が前記エアーチューブ１１０、より具体的には前記エアーチューブ１１０の内部上面に備えられる前記ＬＥＤモジュール固定部１５０に結合され、他端は後述する電源供給装置１６０に連結され、複数でなる。
【００４３】
この際、前記複数のＬＥＤモジュール１４０は、図１に示すように、前記エアーチューブ１１０の膨脹した長さに対応してぶら下がるように備えられる。
【００４４】
このように、前記ＬＥＤモジュール１４０を前記エアーチューブ１１０の膨脹した長さに対応してぶら下がるように複数で備える理由は次のようである。
【００４５】
従来のエアー看板の場合、ベースに備えられた照明装置によってエアーチューブの下側から上方向に光を照射させる。この場合、エアーチューブの上部に行くほど光の照射量が減少してエアー看板の全体が暗くなって広告、宣伝の効果が減少する問題があった。
【００４６】
本発明は、これを解決するために、前記ＬＥＤモジュール１４０を前記エアーチューブ１１０の膨脹した長さに対応してぶら下がるように複数備えることで、従来とは異なり、前記エアーチューブ１１０の内部全体に光を照射することができる。
【００４７】
これにより、エアー看板１００全体が従来の看板よりずっと明るくなるので、一般人または需要者の視線をエアー看板１００に集中させることができる。
【００４８】
さらに、前記ＬＥＤモジュール１４０を用いる理由は、ＬＥＤが持つ下記の有利な特性を用いるためである。
【００４９】
ＬＥＤ（ＬＥＤ：ｌｉｇｈｔ  ｅｍｉｔｔｉｎｇ  ｄｉｏｄｅ）は、消費電力が白熱灯に比べて８０％、蛍光灯に比べて３０％低く、一般電球とは異なるフィラメントを使わないため、発熱が少なく、これによりエネルギー消耗が少なくて環境に優しい発光手段である。
【００５０】
また、製品ごとに違いはあるが、３〜５万時間の長寿命を保障することができ、ＲＧＢ（Ｒｅｄ、Ｇｒｅｅｎ、Ｂｌｕｅ）色相を用いるので、これらを組み合わせてすべての色相の具現することが可能である。
【００５１】
一方、図１に示す前記複数のＬＥＤモジュール１４０はそれぞれのモジュールが２個〜４個のモジュール１４０で結合されてなるが、必ずしもこれに限定されるものではなく、必要に応じて多様な数のモジュールが結合してなることもできるのはいうまでもない。
【００５２】
一方、前記ＬＥＤモジュール１４０を２個〜４個で結合して構成する理由は、一般的なＬＥＤモジュールの場合、発光部が前記モジュールの正面にだけ備えられているから、発光の際にＬＥＤモジュールの正面と背面への光照射量が異なる問題がある。
【００５３】
したがって、本発明の一実施例によるＬＥＤモジュールを備えたエアー看板１００は、前述したように、複数のＬＥＤモジュール１４０のそれぞれを２個〜４個で結合して備えることで、前記発光部の位置にかかわらず、全方向に同量の光を照射することができる。
【００５４】
この際、前記ＬＥＤモジュール１４０の結合方式は、両面テープ、接着剤、または別に備えられる多様な装着部材を用いて前記ＬＥＤモジュール１４０を結合することができる。
【００５５】
一方、前記ベース１２０の内部には、前記送風機１３０、前記ＬＥＤモジュール１４０及び前記エアー看板１００の回転力提供のための回転手段（図示せず）に電源を供給するための電源供給装置１６０が備えられる。
【００５６】
この際、前記電源供給装置１６０は多様な方式の電源供給装置を用いることができるのは言うまでもないが、本発明の好適な実施例においては、電源供給効率の向上、耐久性強化及び前記エアー看板の軽量化のために、ＳＭＰＳ（Ｓｗｉｔｃｈｉｎｇ  Ｍｏｄｅ  Ｐｏｗｅｒ  Ｓｕｐｐｌｙ）１６０を用いた。
【００５７】
一方、前述したように、前記ＬＥＤモジュール１４０は電源ケーブル１４１によって互いに一列で連結され、一端が前記エアーチューブ１１０、より具体的には前記エアーチューブ１１０の内部上面に備えられた前記ＬＥＤモジュール固定部１５０に結合され、他端が前記電源供給装置１６０に連結され、複数でなる。
【００５８】
この際、エアー看板１００は回転式のもので、前記エアーチューブ１１０が一定の速度で回転する。
【００５９】
したがって、前記エアーチューブ１１０の回転によって前記エアーチューブ１１０の内部に備えられた前記ＬＥＤモジュール１４０及び前記電源ケーブル１４１が一緒に回転する場合、前記ＬＥＤモジュール１４０の電源ケーブル１４１のねじれ現象が発生し、このために前記ＬＥＤモジュール１４０の破損及び短絡の問題が発生する。
【００６０】
本発明の一実施例によるＬＥＤモジュールを備えた回転式エアー看板１００は、前述した問題点を解決するために、前記ＬＥＤモジュール固定部１５０を回転可能に備えた。以下では、前記ＬＥＤモジュール固定部に１５０について図２を参照して詳細に説明する。
【００６１】
まず、図２は図１に示すＬＥＤモジュール固定部１５０の拡大断面図である。
【００６２】
図２を参照すれば、前記ＬＥＤモジュール固定部１５０は、ボールベアリング１５１、一対のボールベアリング支持体１５３、前記ＬＥＤモジュール１４０を装着するためのフック１５５、及び前記支持体１５３及び前記ボールベアリング１５１の上面に備えられる保護カバー１５６を含む。
【００６３】
この際、前記ボールベアリング１５１は、外輪１５２と内輪１５４の間にボールを備えており、外輪１５２と内輪１５４の相互回転に影響されない。
【００６４】
一方、前記ボールベアリング１５１の外輪１５２には、互いに対向するように結合されて水平方向に一定の長さだけ伸びた一対のボールベアリング支持体１５３が備えられる。
【００６５】
前記支持体１５３は、前述したように、前記外輪１５２に一対で備えることができるが、必要によって適正な数で備えることができるのは言うまでもなく、多様な方法で前記外輪１５２に結合できる。
【００６６】
また、前記内輪１５４には前記ＬＥＤモジュール１４０を装着するためのフック１５５が固定され、前記フック１５５に前記ＬＥＤモジュールが１４０簡単にかかることにより、前記ＬＥＤモジュール１４０を前記エアーチューブ１１０の長手方向に備えることができる。
【００６７】
この際、前記ＬＥＤモジュール１４０の装着手段として前記フック１５５を用いたが、必ずしもこれに限定されるものではなく、多様な実施例によって装着することができるのはいうまでもない。
【００６８】
一方、前記支持体１５３及び前記ボールベアリング１５１の上面には、前記エアーチューブ１１０内に存在する異物から前記ボールベアリング１５１を保護するための保護カバー１５６がさらに備えられる。
【００６９】
一方、前記エアーチューブ１１０の内部上面には、前記ＬＥＤモジュール固定部１５０を固定するための手段として一定の長さに伸びた前記支持体１５３及び前記保護カバー１５６が挿入可能なポケット１１１が形成されている。
【００７０】
すなわち、前記ＬＥＤモジュール固定部１５０は、前記支持体１５３が前記ポケット１１１に挿入固定され、前記エアーチューブ１１０の回転の際、前記支持体１５３及び前記ボールベアリング１５１の外輪１５２及びボール１５７だけが回転し、前記内輪１５４及び内輪１５４に装着される前記ＬＥＤモジュール１４０は回転しないことにより、前記ＬＥＤモジュール１４０の電源ケーブル１４１が前記エアーチューブ１１０の回転によってねじれることを防止することができる。
【００７１】
一方、前記ＬＥＤモジュール固定部１５０の固定方法として前記エアーチューブ１１０の上部にポケット１１１を形成したが、必ずしもこれに限定されるものではなく、前記支持体１５３を固定するために前記エアーチューブ１１０の内部上面に固定紐またはベルクロファスナーなどを含む多様な実施例によって固定することができるのはいうまでもない。
【００７２】
結果的に、本発明の一実施例によるＬＥＤモジュールを備えた回転式エアー看板１００は、前記ＬＥＤモジュール１４０を用いることにより、速い反応速度、消費電力の節減、寿命延長及び多様な色相の具現が可能であり、エアー看板１００の製作コスト及び維持保守コストの面で経済的である。
【００７３】
また、エアー看板１００の回転の際、前記ＬＥＤモジュール１４０の電源ケーブル１４１がねじれることを事前に防止するためにＬＥＤモジュール固定部１５０を備えることで、エアー看板１００の回転によるＬＥＤモジュール１４０の破損を防止して安定的な回転が可能である。
【００７４】
同時に、前記ＬＥＤモジュール１４０を膨脹したエアーチューブ１１０の長手方向の全長にわたってぶら下がるように備え、全方向に光を照射させるために前記ＬＥＤモジュール１４０を２個〜４個結合することにより、視覚による広告宣伝の機能に優れた効果がある。
【００７５】
以上説明したように、本発明は好適な実施例に基づいて示して説明したが、前述した実施例に限定されなく、本発明の精神を逸脱しない範囲内で本発明が属する技術分野で通常の知識を持った者によって多様な変更及び修正が可能であろう。
【産業上の利用可能性】
【００７６】
本発明は、エアー看板の回転の際、ＬＥＤモジュールの電源ケーブルがねじれることを防止するためのＬＥＤモジュール固定部を備えたエアー看板に適用可能である。
【符号の説明】
【００７７】
１００    ＬＥＤモジュールを備えた回転式エアー看板
１１０    エアーチューブ（ａｉｒ  ｔｕｂｅ）
１１１    ポケット（ｐｏｃｋｅｔ）
１２０    ベース
１３０    送風機
１４０    ＬＥＤモジュール（ＬＥＤ  ｍｏｄｕｌｅ）
１４１    電源ケーブル
１５０    ＬＥＤモジュール固定部
１５１    ボールベアリング
１５２    外輪
１５３    支持体
１５４    内輪
１５５    フック（ｈｏｏｋ）
１５６    保護カバー
１５７    ボール
１６０    電源供給装置
【図１】
0005605665.tif 000002
【図２】
0005605665.tif 000003